(57)【特許請求の範囲】
【請求項１】
一対の側板夫々に周方向に間隔を隔てた複数箇所で、前記側板の周縁部に切欠き部を設け、一対の側板間に亘る無端チェーン係合用の軸部材を、前記切欠き部を通して前記側板の面に着脱自在に取り付けてあり、前記切欠き部からの前記軸部材の抜け出しを阻止する抜け止め部材を設けてあり、前記抜け止め部材は、前記側板に取り付けた複数の前記軸部材に対し、夫々の切欠き部からの抜け出しを阻止する一括抜け止め部材で構成してある汚泥掻き寄せ機のスプロケット。
【請求項２】
前記切欠き部夫々の切欠き方向を、前記側板の回転中心から放射状に形成し、前記抜け止め部材は、前記側板に取付けた複数の前記軸部材夫々を係止する係止部を設けてある請求項１に記載の汚泥掻き寄せ機のスプロケット。
【請求項３】
前記一括抜け止め部材は、ボルトを介して前記側板に着脱自在に取り付けてある請求項１に記載の汚泥掻き寄せ機のスプロケット。
【請求項４】
前記一括抜け止め部材には、前記軸部材を係止すると共に前記側板の面に沿って移動させることにより前記軸部材との係止状態を解除する切欠き溝を、複数の軸部材夫々に対応させて設け、前記切欠き部と前記軸部材を係止する前記切欠き溝との切欠き方向を異ならせてある請求項２又は３に記載の汚泥掻き寄せ機のスプロケット。
【請求項５】
請求項１〜４の何れか一項に記載の汚泥掻き寄せ機のスプロケットを設け、汚泥掻き寄せ具を回動方向に間隔を隔てて取り付けてある無端チェーンを前記スプロケットに係合させた状態で前記スプロケットを回転させて、前記無端チェーンを駆動回動させるように構成してある汚泥掻き寄せ機。
【発明の詳細な説明】
【技術分野】
【０００１】
一対の側板間に亘る無端チェーン係合用の軸部材を、一対の側板夫々に周方向に間隔を隔てた複数箇所に取り付けてある汚泥掻き寄せ機のスプロケット、及び、そのスプロケットと汚泥掻き寄せ具を回動方向に間隔を隔てて取り付けてある無端チェーンとを設けてある汚泥掻き寄せ機に関する。
【背景技術】
【０００２】
従来、前記汚泥掻き寄せ機のスプロケットは、前記軸部材を取り付ける取り付け部が、前記側板の周縁部から回転中心寄りの位置に丸孔が形成されているだけであって、前記軸部材を、一対の側板夫々の丸孔に端部から軸心方向に差し込んで、両端にナットを取り付けて側板に固定してあった（例えば、特許文献１参照）。
【先行技術文献】
【特許文献】
【０００３】
【特許文献１】特許第３５８９１６２号公報
【発明の概要】
【発明が解決しようとする課題】
【０００４】
上述した従来のスプロケット及びそのスプロケットを設けた汚泥掻き寄せ機は、磨耗に伴う軸部材の交換の必要性が生じた時は、軸部材の両端部に取り付けたナットを外して、側板に形成した丸孔から、軸部材をその軸心方向に完全に抜き取らなければ外すことはできず、交換作業に多くの手間が掛かり、しかも、汚泥掻き寄せ機の駆動に伴う振動でナットが緩むのを防止すべく、緩み止め機能の付いたナットを使用している場合は、なおさら交換作業性が悪い。
また、一般的には汚泥掻き寄せ機のスプロケットは、高所に設置されていることが多く、より作業性の悪いものであった。
【０００５】
従って、本発明の目的は、上記問題点を解消し、簡単に軸部材を側板から取り外しできるようにするスプロケット及びそのスプロケットを設けた汚泥掻き寄せ機を提供するところにある。
【課題を解決するための手段】
【０００６】
本発明のスプロケットの第１の特徴構成は一対の側板夫々に周方向に間隔を隔てた複数箇所で、前記側板の周縁部に切欠き部を設け、一対の側板間に亘る無端チェーン係合用の軸部材を、前記切欠き部を通して前記側板の面に着脱自在に取り付けてあり、前記切欠き部からの前記軸部材の抜け出しを阻止する抜け止め部材を設けてあり、前記抜け止め部材は、前記側板に取り付けた複数の前記軸部材に対し、夫々の切欠き部からの抜け出しを阻止する一括抜け止め部材で構成してあるところにある。
【０００７】
本発明の第１の特徴構成によれば、軸部材の交換が必要な時には、従来のように、ナットを外して一対の側板の丸孔から軸部材をその軸心方向に抜き取らなくとも、側板に対する軸部材の固定を少し緩めて、一対の側板夫々に形成した切欠き部を通して軸部材を側板の面に沿って移動させるだけで、取り外すことができる。
従って、高所作業であっても手間が少なく簡単に交換作業が可能となる。
【０００９】
また、汚泥掻き寄せ機の駆動に伴う振動で、例え軸部材の固定が緩んでも、抜け止め部材により軸部材が切欠き部を通して抜けてしまうことが防止できる。
従って、長期に亘って安定して汚泥掻き寄せ機を使用できる。
【００１０】
本発明の第２の特徴構成は、前記切欠き部夫々の切欠き方向を、前記側板の回転中心から放射状に形成し、前記抜け止め部材は、前記側板に取付けた複数の前記軸部材夫々を係止する係止部を設けてあるところにある。
【００１１】
本発明の第２の特徴構成によれば、前記切欠き部夫々の切欠き方向を、前記側板の回転中心から放射状に形成してあるために、各切欠き部を通して取り付けてある軸部材は、側板から取り外す際には夫々異なった方向に抜け出す。そこで、前記側板に取付けた複数の前記軸部材夫々を係止する係止部を前記抜け止め部材に設けてあることによって、複数の軸部材が不測に緩んで切欠き部から抜け出そうとしても、各軸部材を係止している前記抜け止め部材の係止部が、夫々異なった方向に引っ張られ、互いに軸部材の抜け出しを阻止する。
従って、軸部材が側板から脱落するのを、簡単な構造で防止でき、抜け止め部材は一括抜け止め部材としての機能を発揮できる。
【００１２】
本発明の第３の特徴構成は、前記一括抜け止め部材は、ボルトを介して前記側板に着脱自在に取り付けてあるところにある。
【００１３】
本発明の第３の特徴構成によれば、一括抜け止め部材により複数の軸部材を切欠き部から抜け出すのを一度に阻止できると共に、ボルトを外して一括抜け止め部材を側板から取り外せば、複数の軸部材を同時に簡単に取り外すことができ、軸部材交換作業がより楽になる。
【００１４】
本発明の第４の特徴構成は、前記一括抜け止め部材には、前記軸部材を係止すると共に前記側板の面に沿って移動させることにより前記軸部材との係止状態を解除する切欠き溝を、複数の軸部材夫々に対応させて設け、前記切欠き部と前記軸部材を係止する前記切欠き溝との切欠き方向を異ならせてあるところにある。
【００１５】
本発明の第４の特徴構成によれば、前記一括抜け止め部材に設けた切欠き溝により、複数の軸部材夫々を係止することにより、複数の軸部材の抜け出しを一度により安定して阻止でき、しかも、切欠き部と軸部材を係止する切欠き溝との切欠き方向を異ならせることにより、軸部材が切欠き部から抜け出そうとしても、その抜け出し方向に障害物としての切欠き溝の内面に阻まれて、軸部材の抜け出しが確実に阻止できる。
【００１６】
本発明の第５の特徴構成における汚泥掻き寄せ機は、請求項１〜４の何れか一項に記載の汚泥掻き寄せ機のスプロケットを設け、汚泥掻き寄せ具を回動方向に間隔を隔てて取り付けてある無端チェーンを前記スプロケットに係合させた状態で前記スプロケットを回転させて、前記無端チェーンを駆動回動させるように構成してあるところにある。
【００１７】
本発明の第５の特徴構成によれば、前述のようにスプロケットにおける軸部材の交換作業が簡単にできるばかりか、軸部材を簡単に取り外して無端チェーンを緩めることにより、その無端チェーンの長さを短くし、チェーンの伸びを解消するメンテナンスも容易になった。
【図面の簡単な説明】
【００１８】
【図１】掻き寄せ機を備えた汚水処理設備の全体縦断面図である。
【図２】スプロケットの一部切欠き正面図である。
【図３】スプロケットの横断平面図である。
【図４】スプロケットの斜視図である。
【図５】スプロケットの分解斜視図である。
【図６】スプロケットの要部正面図である。
【図７】スプロケットの要部の作用説明図である。
【図８】スプロケットの要部分解作用図である。
【図９】スプロケットの要部分解作用図である。
【図１０】軸部材を第１切欠き部に取付けた状態の要部正面図である。
【図１１】軸部材を第２切欠き部に取付けた状態の要部正面図である。
【図１２】別実施形態の要部正面図である。
【図１３】別実施形態の要部正面図である。
【発明を実施するための形態】
【００１９】
以下に本発明の実施の形態を図面に基づいて説明する。
図１は、汚水処理設備における沈澱池Ａの縦断面を示し、汚泥掻き寄せ機ＢとスカムスキマＣとが設置され、汚泥掻き寄せ機Ｂには、本発明による無端チェーン２の駆動構造が設けられている。
【００２０】
前記汚泥掻き寄せ機Ｂは、汚泥掻き寄せ具１を回動方向に間隔を隔てて取り付けてある無端回動体としての左右一対の無端チェーン２の夫々が、横軸心（回転中心）Ｘ周りで回転する駆動回転体としての駆動用スプロケット３と、従動回転体としての第１〜第３従動用スプロケット４（４ａ，４ｂ，４ｃ）とに亘って回動自在に巻き掛けられ、駆動用スプロケット３を駆動回転させる駆動装置５を設けてある。
【００２１】
前記駆動用スプロケット３は、沈澱池Ａの長手方向端部における水面ＷＬ近くに支持され、第１従動用スプロケット４ａは、沈澱池Ａの長手方向略中央における水面ＷＬ近くに支持され、第２，第３従動用スプロケット４ｂ，４ｃは、沈澱池Ａの長手方向両端側における底面６近くに支持されている。
【００２２】
前記駆動用スプロケット３は、図２に示すように、回転軸部材７を挿通するボス８の外周側に、二枚の円板状の側板９を互いに平行に同心状に設けて、その二枚の側板９に亘って、係合ボルト１０にプラスチックボス１６を外嵌させた状態の複数の円柱状軸部材３０を、周方向に等間隔を隔てて横軸心Ｘに沿う姿勢で固定してある。
【００２３】
前記無端チェーン２は、図２に示すように、回動方向で隣り合うリンクプレート１２どうしの夫々を、板面が駆動用スプロケット３の径方向に沿う姿勢で、連結ピン４１で相対揺動自在に連結してある合成樹脂製ノッチチェーンで構成され、リンクプレート１２の夫々の駆動用スプロケット３側の側縁部１３に、軸部材３０を係合させるノッチ１４がそのリンクプレート１２の汚泥掻き寄せ用回動方向（正転方向）上手側に片寄せて形成されている。
【００２４】
そして、ノッチチェーン２を駆動用スプロケット３における二枚の側板９の間に入り込ませてノッチ１４に軸部材３０を係合させた状態で、駆動装置５による駆動用スプロケット３の駆動回転で、左右一対のノッチチェーン２を駆動回動させて、各汚泥掻き寄せ具１を、駆動用スプロケット３，第１従動用スプロケット４ａ，第２従動用スプロケット４ｂ，第３従動用スプロケット４ｃの順に経由するように循環移動させ、駆動用スプロケット３側から第１従動用スプロケット４ａ側に向けた移動で、沈澱池Ａの水面ＷＬ近くに浮いているスカムをスカムスキマＣ側に掻き寄せ、第２従動用スプロケット４ｂ側から第３従動用スプロケット４ｃ側に向けた移動で、沈澱池Ａの底面６近くに沈澱している汚泥を沈澱池Ａの底部に設けてある排出溝１５に掻き寄せることができるように構成してある。
【００２５】
図２〜図１１に示すように、前記駆動用スプロケット３は、係合ボルト１０を、一対の側板９夫々に周方向に間隔を隔てて複数設けてある取り付け部１７に、横軸心Ｘに沿う姿勢で着脱自在にナット２１の締付けによって取り付けて、取り付け部１７夫々に側板９の周縁部から繋がる切欠き部Ｄを形成して、切欠き部Ｄを通して側板９の面に沿って軸部材３０を挿脱自在に構成してある。
前記側板９には、切欠き部Ｄを通しての軸部材３０の抜け出しを阻止するプレートＰから成る抜け止め部材１８を、側板９にボルト１９、ナット２０を介して着脱可能に取り付けてある。
【００２６】
前記プレートＰには、軸部材３０を係止すると共に、側板９の面に沿って移動させることにより軸部材３０との係止状態を解除可能にする係止部としての切欠き溝Ｅを、複数の軸部材３０夫々に対応させて設けて一括抜け止め部材となるように形成してある。
切欠き部Ｄと切欠き溝Ｅとの切欠き方向を異ならせ、切欠き部Ｄ及び切欠き溝Ｅに対する軸部材３０の相対的抜け出し方向を異ならせることにより、軸部材３０が切欠き部Ｄから抜け出そうとしても、その抜け出し方向に障害物としての切欠き溝Ｅの内面に阻まれて、軸部材３０の抜け出しが確実に阻止され、軸部材３０が外れにくくなるように構成してある。
取り付け部１７に繋がって一連一体型に形成された切欠き部Ｄは、図５〜図９に示すように、側板９の横軸心Ｘを通る法線上に沿った放射状にＵ字状の切欠きを形成し、開口部が径方向の外側を向けられている。
【００２７】
また、前記切欠き溝Ｅは、側板９に取付けた複数の軸部材３０夫々を係止する係止部を構成し、その係止部を設けた抜け止め部材１８は、夫々の切欠き部Ｄからの各軸部材３０の抜け出しを阻止する一括抜け止め部材としての機能を発揮する。
つまり、切欠き部Ｄ夫々の切欠き方向を、側板９の横軸心Ｘから放射状に形成してあるために、各切欠き部Ｄを通して取り付けてある軸部材３０は、側板９から取り外す際には夫々異なった方向に抜け出す。そこで、側板９に取付けた複数の軸部材３０夫々を係止する係止部を抜け止め部材１８に設けてあることによって、複数の軸部材３０が不測に緩んで切欠き部から抜け出そうとしても、各軸部材３０を係止している抜け止め部材１８の係止部が、夫々異なった方向に引っ張られ、複数の軸部材３０の抜け出しを互いに阻止する。
【００２８】
前記プレートＰは、側板９の外周部に沿った円弧状に形成してあると共に、切欠き溝Ｅを、側板９の周方向に沿った横長溝部２２と、側板９の横軸心Ｘ側に切り欠いた開放溝部２３とが繋がったカギ形を成し、複数の切欠き溝Ｅ夫々の開放溝部２３は、平行にしてある。従って、ボルト１９を外してプレートＰを複数の軸部材３０から取り外す際には、横長溝部２２内を軸部材３０が相対的に移動するように、図６を図７に変更するように、プレートＰを周方向にスライドさせ、その後、図８に示すように、同時に複数の軸部材３０が切欠き溝Ｅから抜け出せるように構成してある。即ち、軸部材３０の側板９からの取り外しは、プレートＰを外した後、図９に示すように、側板９の径方向外方側に移動させることになる。
【００２９】
前記切欠き部Ｄは、図２、図１０、図１１に示すように、切欠き深さの大きい複数の第１切欠き部Ｄ１を、同一の第１円周Ｓ１上で側板９の周方向に定間隔に形成してあるばかりか、深さの少し浅い複数の第２切欠き部Ｄ２を、同一の第２円周Ｓ２（第１円周Ｓ１よりは大径）上で第１切欠き部Ｄ１に対して前記周方向に位置ずれさせた箇所に夫々形成してある。
これは、初期段階で第１切欠き部Ｄ１に軸部材３０を取り付けて第１円周Ｓ１上に配置し（図２、図１０）、無端チェーン２を第１円周Ｓ１上の軸部材３０に巻きかけて使用し、使用に伴って無端チェーン２が伸びてくると、軸部材３０を第２切欠き部Ｄ２に移し変えて第２円周Ｓ２上に配置することで(図２、図１１)、隣接する軸部材３０間の離間距離Ｌ１からＬ２に変更して無端チェーン２の弛みをなくせるようにしてある。また、第１切欠き部Ｄ１と第２切欠き部Ｄ２に対応して、前記切欠き溝Ｅも、夫々異なった円周上に溝の底部を配置した第１切欠き溝Ｅ１と第２切欠き溝Ｅ２とを設けてある。
〔別実施形態〕
以下に他の実施の形態を説明する。
【００３０】
〈１〉  前記第１切欠き部Ｄ１と第２切欠き部Ｄ２のように切欠き深さの異なった切欠きＤは、２種類に限らず３種類以上形成してあっても良い。
〈２〉  前記側板９に形成した切欠き部Ｄは、Ｕ字状の切欠き形状に代えて、図１２、図１３に示すように、折れ曲がったカギ形に形成してあっても良い。
〈３〉  前記側板９に放射状に形成した切欠き部Ｄに対し、軸部材３０を複数同時に抜け止めして一括抜け止め部材となるようにするには、抜け止め部材１８に設ける切欠き溝Ｅに代えて、軸部材３０を取付できる孔であってもよく、それらを係止部と総称する。尚、この場合、抜け止め部材１８は、必ずしも側板９にボルト１９とナット２０で取り付けてなくても良い。
〈４〉  前記抜け止め部材１８をボルト１９で側板９に取り付けてある場合、前記軸部材３０を通す切欠き部Ｄは、その切欠き方向を側板９に放射状に形成するのに限らず、互いに平行であっても良い。
〈５〉  前記抜け止め部材１８に設けた複数の切欠き溝Ｅは、側板９に形成する切欠き部Ｄとその切欠き方向を異ならせてあれば良いために、カギ形に形成してあるものに限らず、切欠き部Ｄの切欠き方向とは異なった直線状に形成してあっても良い。
〈６〉  前記プレートＰには、図１２に示すように、切欠き溝Ｅを設けることなく、夫々の軸部材３０の切欠き部Ｄからの抜け出しを阻止する当て付け部２４を形成してあっても良い。
〈７〉  前記抜け止め部材１８は、複数の軸部材３０を同時に抜け止め阻止するもの以外に、図１３に示すように、各軸部材３０に個別に抜け止めする阻止板部材２５をボルト１９で側板９に固定してあっても良い。
〈８〉  プレートＰを側板９に固定するボルト１９は、軸部材３０よりも短く、ボルト１９を側板９に固定するのに、切欠き部Ｄ及び切欠き溝Ｅを兼用使用する以外に、図１２や図１３に示すように、専用の挿通孔を側板９とプレートＰとの夫々に、設けても良い。
【００３１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３２】
１      汚泥掻き寄せ具
２      無端チェーン
３      スプロケット
９      側板
１２    リンクプレート
１３    側縁部
１４    ノッチ
Ｄ      切欠き部
１８    抜け止め部材
Ｅ      切欠き溝（係止部）
３０    軸部材
【図１】
0005421731.tif 000002
【図２】
0005421731.tif 000003
【図３】
0005421731.tif 000004
【図４】
0005421731.tif 000005
【図５】
0005421731.tif 000006
【図６】
0005421731.tif 000007
【図７】
0005421731.tif 000008
【図８】
0005421731.tif 000009
【図９】
0005421731.tif 000010
【図１０】
0005421731.tif 000011
【図１１】
0005421731.tif 000012
【図１２】
0005421731.tif 000013
【図１３】
0005421731.tif 000014